(57)【要約】【課題】保持している情報の転送を効率化することができる無線基地局を提供する。【解決手段】チャネルデータの信号処理を行う複数の信号処理部（１０５〜１０７）と、信号伝送路の管理を行う伝送路管理部（１０３）と、複数の信号処理部（１０５〜１０７）の状態監視を行う状態監視部（１０２）と、状態監視部（１０２）から異常情報を受け取り信号処理部（１０５〜１０７）から当該信号処理部が処理中の前記チャネルデータを正常な他の信号処理部へ転送する制御部（１０１）とを備え、制御部（１０１）は状態監視部（１０２）から異常情報を受け取ったとき伝送路管理部（１０３）にマルチキャスト要求を出力して複数の伝送路を確保し、チャネルデータを異常が発生した信号処理部から又は制御部（１０１）から正常な信号処理部へ直接転送するように構成されている。【選択図】　　　図２
2004088206.tif 000002
【特許請求の範囲】
【請求項１】
チャネルデータの信号処理を行う複数の信号処理部と、
信号伝送路の管理を行う伝送路管理部と、
前記複数の信号処理部の状態監視を行う状態監視部と、
前記状態監視部から異常情報を受け取り前記信号処理部から当該信号処理部が処理中の前記チャネルデータを正常な他の信号処理部へ転送する制御部とを備え、
前記制御部は前記状態監視部から前記異常情報を受け取ったとき前記伝送路管理部にマルチキャスト要求を出力して複数の伝送路を確保し、前記チャネルデータを異常が発生した信号処理部から又は前記制御部から正常な信号処理部へ直接転送することを特徴とした無線基地局装置。
【発明の詳細な説明】
【０００１】
【発明の属する技術分野】
本発明は、無線基地局装置に関するものであり、特に、複数のチャネルデータの信号処理を行うベースバンドカードの故障時の処理にかかわる。
【０００２】
【従来の技術】
従来の無線基地局装置（以下ＢＴＳ）において、一度故障が発生し、ＢＴＳの動作が停止した場合には多くのユーザが影響を受けるため、信頼性の向上を常に念頭において設計を行う必要がある。その中で、複数のチャネルデータの変復調，誤り訂正等の如き信号処理を行うベースバンド（以下ＢＢ：Ｂａｓｅｂａｎｄ）カードが故障した場合には、現在接続中の呼を切断させないような手段を講じる必要がある。そこで、現在ＢＴＳにおいて複数のＢＢカードを持っている場合、通話中の呼を故障したＢＢカードから故障していない別のＢＢカードに転送する、いわゆる追い出し処理を行っている基地局が多い。
この場合の追い出し方法として現在行われている方式としては、呼処理（ＣａｌｌＰｒｏｃｅｓｓｉｎｇ　：以下ＣＰ）カードに一度故障カードの情報を渡した後、故障していない別のＢＢカードに情報を転送し、ＢＢカードのリソースを追い出す動作を行わせている。
【０００３】
【発明が解決しようとする課題】
この方法は、ＣＰカードにてすべてのＢＢカードの状態を監視しながらリソースの移し替えができるため、リソース管理面において簡便な方法であるが、ＣＰカードを経由させているため、転送に時間がかかるといった問題があった。また、この方法ではソフトウェアにて保持している情報のみを転送しているため、転送先カードにおいて再同期に時間がかかるといった問題もあった。
【０００４】
本発明の目的は、以上のような従来技術の問題点を解決して、保持している情報の転送を効率化することができる無線基地局を提供することである。
【０００５】
【課題を解決するための手段】
この目的を解決するために、本発明による無線基地局装置は、チャネルデータの信号処理を行う複数の信号処理部と、
信号伝送路の管理を行う伝送路管理部と、
前記複数の信号処理部の状態監視を行う状態監視部と、
前記状態監視部から異常情報を受け取り前記信号処理部から当該信号処理部が処理中の前記チャネルデータを正常な他の信号処理部へ転送する制御部とを備え、
前記制御部は前記状態監視部から前記異常情報を受け取ったとき前記伝送路管理部にマルチキャスト要求を出力して複数の伝送路を確保し、前記チャネルデータを異常が発生した信号処理部から又は前記制御部から正常な信号処理部へ直接転送するように構成されている。
即ち、例えば、ＢＢカード間にて直接ベースバンド情報を転送することにより転送時が短縮され、ベースバンドのハード情報も転送することにより再同期時間を短縮することの出来る無線基地局を提供することができる。
【０００６】
【発明の実施の形態】
以下、本発明の実施の形態を小型無線基地局を例に図面を用いて説明する。
図１は本発明における小型無線基地局１００のカード構成図で、呼処理の制御を行うＣＰカード１０１、保守監視機能を行うＳＶ（Ｓｕｐｅｒｖｉｓｏｒｙ　）カード１０２、有線伝送路処理を行うＨＷＹ（Ｈｉｇｈｗａｙ　）カード１０３、無線送受信処理を行うＴＲＸ（Ｔｒａｎｓｍｉｔｔｅｒ−Ｒｅｃｅｉｖｅｒ　Ｅｘｃｈａｎｇｅ　）カード１０４、ベースバンド処理を行うＢＢカード１０５〜１０７、電源（ＰＳ）１０８，ＦＡＮ（冷却用扇風機）１０９などを備える。また、前記カードのほかにも基地局における実現内容に応じて適宜カード構成は変更される。このような構成を持つ無線基地局は、ＢＢカードを複数持つことによって多くのユーザの呼を処理できるような構造を有している場合が多い。
【０００７】
このようにＢＢカードを複数持つ無線基地局において、あるＢＢカードが故障した場合の通信中のリソース追い出し処理手順を図２を基に説明する。まず、故障したＢＢカード（例えば、１０５）は自カードが故障した旨を表す「カード状態変化通知（故障通知）」をＳＶカード１０２に通知する。ＳＶカード１０２に通知することができないような故障が発生した場合には、ＳＶカード１０２にてＢＢカード１０５の故障を検知する。
【０００８】
ＢＢカード１０５の故障を検知したＳＶカード１０２は、ＣＰカード１０１に「追い出し要求」を送出してＢＢカード１０５の故障を通知する。通知を受けたＣＰカード１０１は、「追い出し可否判定」を行った後、故障（追い出し元）ＢＢカード１０５と転送先（追い出し先）ＢＢカード（例えば、１０６）の両方に「追い出し要求」を行う。その時は追い出し元と追い出し先の両方にて有線伝送路を使用するため、事前にＨＷＹカード１０３に「ＨＷＹマルチキャスト要求」を行い、２つの伝送路を確保する。
【０００９】
「追い出し要求」を受信した故障ＢＢカード１０５は、設定中リソースのリソースデータをリソース単位で転送先ＢＢカード１０６に直接転送する（ＢＢリソースデータ移送）。転送先ＢＢカード１０６では受け取ったリソースデータを基に、移動機との同期を行い、同期確立が行われたら追い出し完了通知（ＢＢリソースデータ転送応答）を故障ＢＢカード１０５に通知する。故障ＢＢカード１０５が本メッセージを受信するとＣＰカード１０１に追い出し完了通知（カード単位追い出し応答）を行い、ＨＷＹカード１０３に追い出し元の有線伝送路を開放させる「ＨＷＹシングルキャスト要求」を行った後その要求の応答「ＨＷＹシングルキャスト応答」を受理して、ＣＰカード１０１にてリソース状態の更新を行い、ＳＶカード１０２に「追い出し結果報告」を送出することにより、追い出し処理が完了する。
【００１０】
この方式にて追い出しを行う際に追い出し先カードにおける同期確立時間を短縮させる方法を、図３を基に説明する。図３における「ＢＢカードＣＰＵ」，「ＢＢカードメモリ」，「ＢＢカードハード」は、図１におけるＢＢカード１０４，１０５及び１０６のおのおのに含まれている構成回路である。
あるリソースにおいて通話呼の同期確立時より、ＢＢカード（例えば、１０５）のハード部１０５−３にて必要な情報、例えば送信電力や、パス遅延差といったリアルタイムで変化する情報について、周期的に現状値をＢＢカード１０５のメモリ１０５−２に書き込む（ハード状態更新）。そして、追い出し発生時には本メモリ１０５−２の最新情報を追い出し先カード（例えば、１０６）に転送し、追い出し先カード１０６ではその値を使用することにより、同期確立時間を短縮させる。
【００１１】
また、基準クロックの故障など、ＢＢカード全体の機能が停止するほどの故障の場合の追い出し手順を図４を基に説明する。前記ＢＢカード追い出し手順と同様に追い出し元ＢＢカード１０５に「追い出し要求」を送信した際、カード間通信における障害が検知された場合は、ＢＢカード間ではなく、ＣＰカード１０１から直接リソース情報を転送先ＢＢカード１０６へ直接転送する動作を行う。
【００１２】
以上の説明から理解されるように、本発明の実施例である図１に示された各部は次の機能を有している。
即ち図１において、ＢＢカード１０５〜１０７は、チャネルデータの信号処理を行う複数の信号処理部の機能を有している。
ＨＷＹカード１０３は、複数の信号伝送路の管理を行う伝送路管理部の機能を有している。
ＳＶカード１０２は、複数の信号処理部（ＢＢカード）の状態監視を行う状態監視部の機能を有している。
ＣＰカードは、状態監視部（ＳＶカード）から異常情報を受け取り、信号処理部（ＢＢカード）から当該信号処理部が処理中のチャネルデータを正常な他の信号処理部へ転送する制御部の機能を有している。
このような構成を有する本発明による無線基地局装置において、制御部（ＣＰカード）は、状態監視部（ＳＶカード）から異常情報を受け取ったとき、伝送路管理部（ＨＷＹカード）にマルチキャスト要求を出力して複数の伝送路を確保し、前記チャネルデータに異常が発生した信号処理部（ＢＢカード）から又は制御部（ＣＰカード）から正常な信号処理部（ＢＢカード）への直接転送を実行することができる。
【００１３】
【発明の効果】
以上詳細に説明したように、本発明により次の効果が得られる。
（１）ＢＢカード故障時にＣＰを経由せずに直接データのやり取りを行うため、転送時間を短くすることができる。
（２）転送直前のハード情報も取り込んで転送することにより、転送先での同期確立時間を短縮することができる。
（３）ＢＢカード間通信が出来ないときには、ＣＰが保持しているデータを直接送信することで通話呼を維持することができる。
【図面の簡単な説明】
【図１】本発明における小容量基地局のカード構成図である。
【図２】ＢＢカード間転送による追い出しシーケンスである。
【図３】ＢＢカードハードパラメータ定期更新シーケンスである。
【図４】ＢＢカード通信不能時のＣＰカードによる追い出しシーケンスである。
【符号の説明】
１００　小容量無線基地局
１０１　呼処理制御カード（ＣＰカード）
１０２　保守監視カード（ＳＶカード）
１０３　有線伝送路処理カード（ＨＷＹカード）
１０４　無線送受信カード（ＴＲＸカード）
１０５，１０６，１０７　ベースバンド処理カード（ＢＢカード）
１０８　電源部
１０９　ＦＡＮ
【図１】
2004088206.tif 000003
【図２】
2004088206.tif 000004
【図３】
2004088206.tif 000005
【図４】
2004088206.tif 000006